(57)【特許請求の範囲】
【請求項１】
トンネル内に所定間隔で設置され、開放動作により１次側からの加圧消火用水を２次側へ供給する複数の自動弁装置と、
前記複数の自動弁装置の２次側に設けられた配管に所定間隔で接続され、前記自動弁装置の開放動作に伴い１次側から供給された加圧消火用水により、前記自動弁装置の開放から所定時間後に弁体を開放して前記加圧消火用水を２次側へ供給する複数の遅延開放弁と、
前記複数の遅延開放弁の２次側に接続された水噴霧ヘッドと、
前記複数の遅延開放弁の１次側に接続され、水噴霧ヘッドより放水量の少ない予告放水ヘッドと、
を備え、
前記予告放水ヘッドは、前記自動弁装置の開放時に放水を開始し、
前記水噴霧ヘッドは、前記自動弁装置の開放から所定時間後に放水を開始することを特徴とするトンネル水噴霧設備。
【請求項２】
請求項１記載のトンネル水噴霧設備に於いて、前記予告放水ヘッドは、旋回放水ヘッド又はフラット放水ヘッドであることを特徴とするトンネル水噴霧設備。
【請求項３】
請求項１記載のトンネル水噴霧設備に於いて、前記遅延開放弁は、前記弁体の開放に伴い前記予告放水ヘッドへの加圧消火用水の供給を停止することを特徴とするトンネル水噴霧設備。
【請求項４】
請求項１記載のトンネル水噴霧設備に於いて、前記予告放水ヘッドは、トンネル上方及び又は壁面方向に放水することを特徴とするトンネル水噴霧設備。
【発明の詳細な説明】
【技術分野】
【０００１】
本発明は、トンネル内に設置された水噴霧ヘッドに消火用水を供給して放水させるトンネル水噴霧設備に関する。
【背景技術】
【０００２】
従来、自動車専用道路のトンネルには、トンネル内で発生する火災事故から人身及び車両を守るため、非常用設備が設置されている。このような非常用設備としては、火災の監視と通報のため火災検知器や非常電話が設けられ、火災の消火や延焼防止のために消火栓装置やトンネル防護のための水噴霧ヘッドから水を放水させる水噴霧設備が設けられる。
【０００３】
水噴霧設備は５０メートル間隔の放水区画単位に１台の自動弁が設置され、５メートル間隔に配置した複数の水噴霧ヘッドに対し自動弁から加圧消火用水を供給して一斉に放水させる。
【０００４】
また水噴霧設備には水噴霧ヘッドからの本格放水がおこなわれることを警告するため、本格放水に先立って小容量の予告放水をする予告放水機能が設けられている。
【０００５】
予告放水の方法は、自動弁に対する１次側の流量を小流量とする方法、圧力を低圧とする方法、自動弁で低圧から通常圧力に段階的に切替える方法、自動弁の２次側の制水弁の開度を２段階に切替える方法などがある。
【先行技術文献】
【特許文献】
【０００６】
【特許文献１】特開２００２−３５５３２４号公報
【発明の概要】
【発明が解決しようとする課題】
【０００７】
しかしながら、このような小容量の予告放水をするトンネル水噴霧設備にあっては、基本的に水噴霧ヘッドをそのまま使用し、水噴霧ヘッドに供給する加圧消火用水の圧力又は流量を下げて小容量の予告放水を行っていたため、消火用水の圧力または流量を２段階に調整する機構や設備が必要となり、二次側に接続された全ての水噴霧ヘッドに規定量を流すための流量の非常に多い自動弁及びその関連設備を制御する必要があるため、設備構成が複雑化してコストアップになる問題がある。
【０００８】
また、予告放水を行う目的として、いきなり放水量の多い本格放水をおこなうとトンネル内に進入した車両の視界が遮られて車による二次災害が発生することを防ぐためと、トンネル外への避難行動に悪影響を及ぼすことを防止するために予告放水を行っている。しかし従来の水噴霧設備の予告放水は、予告放水も本格放水も同じ水噴霧ヘッドをそのまま使用して全ての水噴霧ヘッドから放水されるため、各水噴霧ヘッドを設置する間隔によっては各ヘッドの放水パターンが近接するため、たとえ流量を少なくした予告放水であっても運転者の前方の視界が悪いこともある。
【０００９】
本発明は、簡単な設備構成と低コストで予告放水を可能とするトンネル水噴霧設備を提供することを目的とする。
【課題を解決するための手段】
【００１０】
本発明は、トンネル水噴霧設備に於いて、
トンネル内に所定間隔で設置され、開放動作により１次側からの加圧消火用水を２次側へ供給する複数の自動弁装置と、
複数の自動弁装置の２次側に設けられた配管に所定間隔で接続され、自動弁装置の開放動作に伴い１次側から供給された加圧消火用水により、自動弁装置の開放から所定時間後に弁体を開放して加圧消火用水を２次側へ供給する複数の遅延開放弁と、
複数の遅延開放弁の２次側に接続された水噴霧ヘッドと、
複数の遅延開放弁の１次側に接続され、水噴霧ヘッドより放水量の少ない予告放水ヘッドと、
を備え、
予告放水ヘッドは、自動弁装置の開放時に放水を開始し、
水噴霧ヘッドは、自動弁装置の開放から所定時間後に放水を開始することを特徴とする。
【００１１】
ここで、予告放水ヘッドは、旋回放水ヘッド又はフラット放水ヘッドであり、トンネル上方及び又は壁面方向に放水する。
【００１２】
また、遅延開放弁は、弁体の開放に伴い予告放水ヘッドへの加圧消火用水の供給を停止する。
【発明の効果】
【００１３】
本発明のトンネル水噴霧設備によれば、自動弁装置を開放動作すると２次側配管に直接接続されている予告放水ヘッドから小容量の予告放水が行われ、水噴霧ヘッドには開放遅延弁による遅延時間後に加圧消火用水が供給されて本格放水するため、予告放水の小容量は専用の予告放水ヘッドの放水量により一義的に決まり、自動弁装置の１次側又は自動弁装置そのものによる予告放水を小容量とするための圧力又は流量の２段階調整の機構や設備が不要となり、水噴霧ヘッドに遅延開放弁を設けるという簡単な設備構成で小容量の予告放水を可能とし、コスト的にも安価に実現できる。また、予告放水時に運転者の視界を妨げることがなく、二次災害を防ぎ安全に避難することができる。
【００１４】
本発明の別の形態にあっても、複数の水噴霧ヘッド中で定めた予告放水兼用の水噴霧ヘッド以外の水噴霧ヘッドに対応して遅延開放弁を設け、自動弁装置を開放作動すると２次側配管に直接接続されている放水ヘッドから予告放水が行われ、それ以外の水噴霧ヘッドには開放遅延弁による遅延時間後に加圧消火用水が供給されて本格放水するため、予告放水に使用する水噴霧ヘッドの数により予告放水の放水量を抑えることができ、自動弁の１次側又は自動弁装置そのものによる予告放水を小容量とするための圧力又は流量の２段階調整の機構や設備が不要となり、予告放水を兼ねる水噴霧ヘッド以外の水噴霧ヘッドに遅延開放弁を設けるという簡単な設備構成で予告放水を可能とし、コスト的にも安価に実現できる。
【図面の簡単な説明】
【００１５】
【図１】本発明によるトンネル水噴霧設備の実施形態を示した説明図
【図２】図１に設けた自動弁の配管系と制御系の実施形態を示した説明図
【図３】図２に設けた遅延開放弁の他の実施形態を示した説明図
【図４】本発明で使用する予告放水ヘッドによる旋回放水パターンを示した説明図
【図５】本発明で使用する予告放水ヘッドによるフラット放水パターンを示した説明図
【図６】図１の水噴霧設備につき予告放水ヘッドを水噴霧ヘッドの１つおきに設けた実施形態を示した説明図
【図７】図１の水噴霧設備につき予告放水ヘッドを１つの水噴霧ヘッドのみ設けた実施形態を示した説明図
【図８】本発明によるトンネル水噴霧設備の他の実施形態を示した説明図
【図９】図８に設けた自動弁の配管系と制御系の実施形態を示した説明図
【図１０】図９に設けた遅延開放弁の他の実施形態を示した説明図
【発明を実施するための形態】
【００１６】
図１は本発明によるトンネル水噴霧設備の実施形態を示した説明図である。図１において、自動弁装置１０はトンネル側壁のコンクリート枠体に対し枠抜きされたスペースに５０メートル間隔の水噴霧区間に１台ずつ設置されている。自動弁装置１０の１次側には給水配管２６が接続され、給水配管２６には所定圧力の加圧消火用水が充填されている。
【００１７】
自動弁装置１０の２次側には水噴霧配管１４が設けられ、水噴霧配管１４はコンクリート側壁に沿って立ち上がった後に長手方向に分岐され、所定間隔で複数の水噴霧ヘッド１２が接続されている。
【００１８】
水噴霧ヘッド１２に対しては遅延開放弁１８が設けられる。遅延開放弁１８は加圧消火用水が供給されていない通常時は閉鎖状態にあり、自動弁１２を開放して加圧消火用水の供給を受けると開放動作を開始し、所定の遅延時間後に全開して水噴霧ヘッド１２から放水を行わせる。
【００１９】
水噴霧ヘッド１２の各々に対応して予告放水ヘッド１６が設けられ、予告放水ヘッド１６は対応する遅延開放弁１８の１次側に接続されている。予告放水ヘッド１６は水噴霧ヘッド１２に対し放水量が小さく、小容量の予告放水を行う。
【００２０】
自動弁装置１０は信号線２８を介してセンタ制御装置２０に接続されている。自動弁装置１０はトンネル内の火災検知に基づきセンタ制御装置２０から起動信号を受けて開放作動し、水噴霧ヘッド１２側に加圧消火用水を供給する。このとき遅延開放弁１８は最初閉鎖状態にあるため水噴霧ヘッド１２からの放水は行われず、加圧消火用水の供給を直接受けた予告放水ヘッド１６から小容量の予告放水が行われる。
【００２１】
自動弁装置１０の開放作動で加圧消火用水の供給を受けた遅延開放弁１８は時間の経過に伴って開度が増加し、所定の遅延時間後に全開となり、このため水噴霧ヘッド１２からは消火用水が少しずつに増加しながら放水され、所定の遅延時間後に本格放水に移行する。
【００２２】
センタ制御装置２０に対してはポンプ制御盤２２と防災受信盤２４が設けられている。ポンプ制御盤２２は、センタ装置２０からの自動弁装置の起動に伴うポンプ起動信号を受けてポンプ設備を運転し、給水配管２６に加圧した消火用水を供給する。
【００２３】
防災受信盤２４は図示しないトンネル内に設置された火災検知装置からの火災検知信号を受信して火災警報を行うもので、火災警報に連動してセンタ制御装置２０に火災移報信号を出力して、火災発生地区に対応した自動弁装置１０の遠隔起動を行わせる。
【００２４】
図２は図１に設けた自動弁装置１０の配管系と制御系の実施形態を示した説明図である。図２において、自動弁３０に対しては、制御系機器として止め弁３５、常時閉の遠隔起動弁（電動弁）３４、常時閉の手動起動弁３６、圧力調整弁３８及び自動排水弁４０を設けている。
【００２５】
自動弁３０の１次側には給水配管２６が接続され、給水配管２６には所定圧力の加圧消火用水が充填されている。自動弁３０の２次側には常時開放された制水弁３２が設けられている。
【００２６】
自動弁３０はシリンダ室４４にピストン４６を摺動自在に入れたアクチュエータが設けられており、ピストン４６の移動で弁体４８を移動して弁を開放するようにしている。
【００２７】
自動弁３０の開放動作は、通常監視時は遠隔起動弁３４により行われる。遠隔起動弁３４としては電動弁を使用しており、図１のセンタ制御装置２０でトンネル内での車両火災が防災受信盤２４からの火災移報信号により確認されたとき、担当者の放水起動操作に基づく起動信号により遠隔起動弁３４が開動作する。
【００２８】
遠隔起動弁３４が開くと、１次側の加圧水が止め弁３５、遠隔起動弁３４及び圧力調整弁３８を介してシリンダ室４４に供給され、ピストン４６を左側にストロークして、弁体４８を弁座からリフトして開放し、２次側の水噴霧配管１４に加圧消火用水を供給する。
【００２９】
水噴霧配管１４の分岐側には遅延開放弁１８を介して水噴霧ヘッド１２が接続され、遅延開放弁１８の１次側から分岐した予告放水配管１５に予告放水ヘッド１６を接続している。
【００３０】
遅延開放弁１８は、弁ボディ５０の内部に１次側と２次側を仕切る隔壁５２を形成し、隔壁５２に設けた弁穴に弁体５４を軸方向に移動自在に配置し、右側にリターンバネ５６を配置し、左側にピストン５８を配置してシリンダ６０に摺動自在に収納している。シリンダ６０に対しては制御配管６２が１次側から接続され、制御配管６４にストレーナ付きのオリフィス６４を設けている。
【００３１】
遅延開放弁１８は自動弁３０が閉鎖状態にある通常時は、加圧消火用水の供給がないことからリターンバネ５６により弁体５４を図示の閉鎖位置に閉じている。自動弁３０の開放作動により１次側に加圧消火用水が供給されると、加圧消火用水は制御配管６４のオリフィス６４を通ってシリンダ６０に供給され、ピストン５８がリターンバネ５６に抗して開方向にゆっくりした動きのストロークを開始する。
【００３２】
このため弁体５４の緩やかなストロークに伴い開度が少しずつ増加し、オリフィス６４の流量とシリンダ６０の容積で決まる所定の遅延時間後に全開となり、水噴霧ヘッド１２から本格放水を行う。予告放水から本格放水への移行時間はオリフィス６４を通る流量により設定することができるため、オリフィス６４の流量を調整できるように絞りを設けて流量調整できるようにしてもよい。
【００３３】
一方、予告放水ヘッド１６は自動弁３０の開放作動による直接加圧消火用水の供給を受けて小容量の予告放水を開始し、火災を検知した水噴霧区間に向かってくる自動車の運転者に本格放水を予告警告して緊急停止させる。
【００３４】
遅延開放弁１８の全開により水噴霧ヘッド１２が本格放水に移行した後は、予告放水ヘッド１６からも継続的に小容量の放水が行われており、予告放水ヘッド１６からの放水は水噴霧ヘッド１２からの本格放水を補う放水となる。
【００３５】
水噴霧ヘッド１２からの放水停止は、センタ制御装置２０から遠隔起動弁３４に停止信号を送って閉動作を行わせる。遠隔起動弁３４が閉じると、圧力調整弁３８を経由したシリンダ室４４に対する１次側からの加圧消火用水の供給が停止する。
【００３６】
自動弁３０の２次側とドレインとの間には、自動排水弁４０が接続されている。自動排水弁４０は、所定圧を超える圧力が加わると閉じ、圧力が所定値を下回ると開く弁である。
【００３７】
このため圧力調整弁３８を経由して自動排水弁４０に加わる加圧消火用水の圧力が低下し、所定圧以下に低下すると、自動排水弁４０が開放し、シリンダ室４４の加圧消火用水は圧力調整弁３８及び自動排水弁４０を介してドレインに流れ、ピストン４６がスプリングの力で右にストロークし、弁体４８を弁座に戻し、自動弁３０を閉鎖状態とする。自動弁３０は手動起動弁３６の現場操作によっても開放させることができる。
【００３８】
遅延開放弁１８へ消火用水の供給が停止されると、ピストン５８がリターンバネ５６によって左側へストロークし、弁体５４を閉止し、初期状態へ復旧する。
【００３９】
図２の実施形態によれば、自動弁３０を開放作動した時は、まず予告放水ヘッド１６から小容量の予告放水を開始し、遅延開放弁１８を所定の遅延時間後に全開として水噴霧ヘッド１２を本格放水に移行するようにしたため、予告放水の小容量の放水は専用の予告放水ヘッド１６の放水量により一義的に決まり、予告放水から本格放水への移行時間はオリフィス６４の流量で簡単に設定でき、自動弁３０の１次側又は自動弁３０そのものによる予告放水を小容量とするための圧力又は流量の２段階調整の機構や設備が不要となり、水噴霧ヘッド１２側に遅延開放弁１８と予告放水ヘッド１６を追加するといった簡単な構成により小容量の予告放水を可能とし、コスト的にも安価に実現できる。
【００４０】
図３は図２に設けた遅延開放弁の他の実施形態を示した説明図である。本実施形態の遅延開放弁１８は、ピストン５８と弁体５４を別部材としている。ピストン５８はロッド７２のガイドでシリンダ６０内にリターンバネ７２を介して配置し、ピストン５８は別部材として内部流路の弁穴に対しリターンバネ５６で閉位置に支持され、弁体５４に設けた弁軸５６にシール７５を設け、予告配水配管１５に移動して閉鎖可能としている。
【００４１】
遅延開放弁１８は図２の自動弁３０が閉鎖状態にある通常時は、加圧消火用水の供給がないことからリターンバネ５６により弁体５４を図示の閉鎖位置に閉じている。自動弁３０の開放作動により１次側に加圧消火用水が供給されると、加圧消火用水は制御配管６２のオリフィス６４を通ってシリンダ６０に供給され、ピストン５８がリターンバネ５８に抗して開方向にゆっくりした動きのストロークを開始する。
【００４２】
弁体５４は別部材としているため、ピストン５８がストロークしてもロッド７０が当たるまでは閉鎖位置に閉じており、その間、予告放水ヘッド１６から小容量の予告放水が行われ、火災を検知した水噴霧区間に向かってくる自動車の運転者に本格放水を予告警告して緊急停止させる。
【００４３】
所定の遅延時間が経過するとストロークしたピストン５８のロッド７０が弁体５４に当接し、リターンバネ５６に抗して弁体５４をストロークして開放し、水噴霧ヘッド１２から本格放水を行う。弁体５４のストロークにより弁軸７４のシール７５の部分が予告放水配水管１５の流入口に入り込んで流路を閉鎖し、予告放水ヘッド１６からの予告放水が停止し、水噴霧ヘッド１２からの本格放水のみの状態に移行する。
【００４４】
このようにピストン５８と弁体５４を別部品として分離配置することにより、自動弁３０の開放で最初に予告放水ヘッド１６からの予告放水を開始し、所定の遅延時間後に水噴霧ヘッド１２からの本格放水を開始し、同時に、予告放水ヘッド１６からの予告放水を停止するという段階放水制御を適切に実現できる。
【００４５】
図４は図２の実施形態に設けた予告放水ヘッドによる旋回放水パターンを示した説明図であり、図４（Ａ）にトンネル平面を、図４（Ｂ）にトンネル断面を示している。
【００４６】
図４にあっては、予告放水ヘッドとして予告旋回放水ヘッド１６ａを使用している。予告旋回放水ヘッド１６ａとしては、例えばヘッド本体の先端に水圧を受けて回転する回転放出穴を有するヘッドであり、自動弁３０の開放で遅延開放弁１８を介して加圧消火用水の供給を受けると、消火用水の放出による反力を受けてヘッドの噴出し部分が高速に旋回し、スパイラル状に放水する旋回放水パターン６６による予告放水をする。
【００４７】
このようにヘッドから旋回による動きのあるパターンで予告放水が行われるため、本格放水とは明らかに異なる放水パターンで放水し、本格放水を行う放水区間に向けて走行してくる自動車の運転者は予告放水による警告に確実に気付いて緊急停止することが可能となる。また、回転式ヘッドを採用することにより、従来のヘッドよりも少ない水量で遠くに放水することも可能となる。さらに回転ヘッドによる放水により、放水後の消火用水を分散させて粒子径を小さくして放水することができ、従来の本格放水と同じヘッドを使った予告放水よりも運転者の前方の視界の妨げをより防ぐことができ安全な避難が可能となる。
【００４８】
図５は図２の実施形態に設けた予告放水ヘッドにフラット放水パターンを示した説明図であり、図５（Ａ）にトンネル平面を、図５（Ｂ）にトンネル断面を示している。
【００４９】
図５にあっては、予告放水ヘッドとして予告フラット放水ヘッド１６ｂを使用している。予告フラット放水ヘッド１６ｂとしては、例えばトンネル断面方向に長い長方形状の放水穴を有するヘッドであり、自動弁１０の開放で遅延開放弁１８を介して加圧消火用水の供給を受けると、トンネル断面方向に広がったフラット放水パターン６８による予告放水をする。
【００５０】
フラット放水パターン６８は少ない放水量であっても、幅は薄いが大きく広がる放水パターンとなる予告放水が行われ、本格放水を行う放水区間に向けて走行してくる自動車の運転者は予告放水による警告に確実に気付いて緊急停止することが可能となる。
【００５１】
なお、本実施形態に使用する予告放水ヘッド１６としては、図３及び図４のヘッド以外に小容量のヘッドであれば適宜のヘッドを使用することができる。また隣に配置されるヘッド同士の放水パターン６８が近接することがないことから、運転者は断続的に放水パターンをくぐることとなり、従来の本格放水と同じヘッドを使った隣同士の放水パターンが近接する予告放水よりも、運転者の前方の視界の妨げをより防ぐことができ安全である。
【００５２】
図６は図１のトンネル水噴霧設備につき予告放水ヘッドを水噴霧ヘッドに対し１つ置きに設けた実施形態を示した説明図である。
【００５３】
図１の実施形態にあっては、複数の水噴霧ヘッド１２の各々に対応して同数の予告放水ヘッド１６を設けているが、予告放水は本格放水を行う水噴霧区間を警告すればよいことから、全ての水噴霧ヘッド１２に対応して予告放水ヘッド１６を設ける必要はなく、例えば図６に示すように、予告放水ヘッド１６を水噴霧ヘッド１２に対し１つ置きに設ける。予告放水ヘッド１６には、図３の予告旋回放水ヘッド１６ａや予告フラット放水ヘッド１６ｂを使用することができる。これによって予告放水ヘッド１６の設置台数を低減し、設備コストを低減することができる。また予告放水ヘッドによる放水パターンの放水間隔拡げることで、従来の全てのヘッドからの予告放水よりも運転者の視界の妨げを防ぐことができ、放水することによる二次災害をより防ぐことができる。
【００５４】
図７は図１のトンネル水噴霧設備につき予告放水ヘッドを１つの水噴霧ヘッドに対してのみ設けた実施形態を示した説明図である。図７において、予告放水ヘッド１６は水噴霧区間に配置された複数の水噴霧ヘッド１２の内、区間の自動車の進入側に位置する水噴霧ヘッド１２に対応して１台だけ設けられている。予告放水ヘッド１６には、図３の予告旋回放水ヘッド１６ａや予告フラット放水ヘッド１６ｂを使用することができる。
【００５５】
このように本格放水を行う自動車進入側の区間境界に最も近い水噴霧ヘッド１２に対応して予告放水ヘッド１６を設けることで、本格放水を警告する予告放水が確実にでき、更に、予告放水ヘッド１６の設置台数を最小限にして設備コストを低減することができる。
【００５６】
なお、予告放水ヘッド１６は水噴霧区間の任意の位置に設置しても良い。
【００５７】
図８は本発明によるトンネル水噴霧設備の他の実施形態を示した説明図である。図８の実施形態にあっては、図１の小容量の予告放水を行う予告放水ヘッドは使用せず、水噴霧区間に設置している全ヘッドのうち一部の水噴霧ヘッドについては、水噴霧配管１４に直接接続して予告放水と本格放水を行う予告兼用水噴霧ヘッド１２ａとし、残りの水噴霧ヘッドは遅延開閉弁１８を介して接続した水噴霧ヘッド１２ｂを本格放水専用としている。それ以外の構成は図１と同じである。予告兼用水噴霧ヘッド１２ａも水噴霧ヘッド１２ｂも本格放水に対応する流量のヘッドを使用する。
【００５８】
図８において、トンネル内での火災検知に基づき対応する水噴霧区間及び隣接する水噴霧区間の自動弁装置１０が開放作動されると、まず水噴霧配管１４に直接接続している予告兼用水噴霧ヘッド１２ａから放水が開始され、一部の水噴霧ヘッドによる放水となることから、本格放水に比べ放水量が少なく、本格放水を行う放水区間に向けて走行してくる自動車の運転者は予告放水による警告に確実に気付いて緊急停止することが可能となる。また放水区間内の部分的な放水になることから運転者の視界を確保することができる。
【００５９】
自動弁装置１０の開放作動から所定の遅延時間を経過すると遅延開放弁１８が全開となり、水噴霧ヘッド１２ｂが本格放水に移行し、予告放水兼用水噴霧ヘッド１２ａを含む区間全ヘッドからの放水となり、本格放水が行われる。
【００６０】
なお、遅延開放弁１８を設けずに水噴霧配管１４に直接接続する予告兼用水噴霧ヘッド１２ａの数は、図８の１つ置きに限定されず、１つ水噴霧区間に最小限１台設ける場合を含め、水噴霧ヘッド総数より少ない任意の台数とすれば良い。
【００６１】
図９は図８に設けた自動弁装置１０の配管系と制御系の実施形態を示した説明図である。図９において、自動弁３０に対しては、制御系機器として止め弁３５、遠隔起動弁（電動弁）３４、手動起動弁３６、圧力調整弁３８及び自動排水弁４０を設けている。その構成及び動作は図２の実施形態と同じである。
【００６２】
また水噴霧配管１４に接続した水噴霧ヘッドのうち、予告兼用水噴霧ヘッド１２ａは直接接続し、本格放水専用の水噴霧ヘッド１２ｂについては遅延開放弁１８を介して接続している。遅延開放弁１８は図２の実施形態と同じであり、自動弁３０の開放作動により加圧消火用水の供給を受けると所定の遅延時間後に全開となる。
【００６３】
本実施形態の動作は、図１のセンタ制御装置２０から、まず遠隔起動弁３４に開制御信号を送って開動作し、給水配管２６からの加圧消火用水を水噴霧ヘッド１２ａに直接送って予告放水をする。
【００６４】
予告放水の開始と同時に加圧消火用水の供給を受けた遅延開放弁１８が緩やかに弁体５４を開放し、所定時間後に全開となって水噴霧ヘッド１２ｂから放水を行い、予告兼用水噴霧ヘッド１２ａと共に放水することで、水噴霧区間で放水する本格放水を行うことになる。
【００６５】
図８及び図９の実施形態によれば、自動弁３０を開放作動した時は、まず予告兼用水噴霧ヘッド１２ａから区間全体の放水量に比べて少ない予告放水を開始し、遅延開放弁１８の作動による所定の遅延時間後に水噴霧ヘッド１２ｂを本格放水に移行するようにしたため、予告放水の放水量は遅延開放弁１８を設けていない予告兼用水噴霧ヘッド１２ａの台数により一義的に決まり、自動弁３０の１次側又は自動弁３０そのものによる予告放水を小容量とするための圧力又は流量の２段階調整の機構や設備が不要となり、水噴霧ヘッド１２側に遅延開放弁１８を追加するといった簡単な構成により小容量の予告放水を可能とし、コスト的にも安価に実現できる。
【００６６】
図１０は図９に設けた遅延開放弁の他の実施形態を示した説明図である。本実施形態の遅延開放弁１８は、ピストン５８と弁体５４を別部材としている。ピストン５８はロッド７２のガイドでシリンダ６０内にリターンバネ７２を介して配置し、ピストン５８は別部材として内部流路の弁穴に対しリターンバネ５６で閉位置に支持されている。
【００６７】
遅延開放弁１８は図２の自動弁３０が閉鎖状態にある通常時は、加圧消火用水の供給がないことからリターンバネ５６により弁体５４を図示の閉鎖位置に閉じている。自動弁３０の開放作動により１次側に加圧消火用水が供給されると、加圧消火用水は制御配管６２のオリフィス６４を通ってシリンダ６０に供給され、ピストン５８がリターンバネ５８に抗して開方向にゆっくりした動きのストロークを開始する。
【００６８】
弁体５４は別部材としているため、ピストン５８がストロークしてもロッド７０が当たるまでは閉鎖位置に閉じており、その間、図９の予告兼用水噴霧ヘッド１２ａから予告放水が行われ、火災を検知した水噴霧区間に向かってくる自動車の運転者に本格放水を予告警告して緊急停止させる。
【００６９】
所定の遅延時間が経過するとストロークしたピストン５８のロッド７０が弁体５４に当接し、リターンバネ５６に抗して弁体５４をストロークして開放し、水噴霧ヘッド１２から本格放水を行う。
【００７０】
このようにピストン５８と弁体５４を別部品として分離配置することにより、自動弁３０の開放で最初に予告放水ヘッド１６からの予告放水を開始し、所定の遅延時間後に水噴霧ヘッド１２からの本格放水を開始するという段階放水制御を適切に実現できる。
【００７１】
なお、上記の実施形態において、水噴霧ヘッド１２ａ、１２ｂは同じヘッドを使用して、本格放水をおこなうヘッド１２ｂが接続される配管にのみ遅延開放弁１８とセットで接続する構成としても良い。
【００７２】
また遅延開放弁１８と水噴霧ヘッド１２、１２ｂを一体に形成して本格放水専用のヘッドとしても良い。
【００７３】
予告放水用の各ヘッドは、運転者へ本格放水の予告を行うものであるから、本格放水のような車道に向けて直接噴霧するものに限らず、トンネル上面や側壁面方向に放水し、運転者へ予告放水を行う構成として運転者の視界の妨げをより防ぐようにしてもよい。
【００７４】
遅延開放弁１８はピストン５８を弁体５４側に移動して弁開放するようにしているが、これに限らず、弁体の開放方向側にピストンを配置し、ピストンにより弁体５４を開放方向に引っ張って弁開放するようにしても良い。
【００７５】
予告放水用のヘッドは放水区域の両端に設けて、本格放水を行う区域を挟むように予告放水を行うようにしてもよい。
【００７６】
なお、本発明はその目的と利点を損なうことのない適宜の変形を含み、更に上記の実施形態に示した数値による限定は受けない。
【符号の説明】
【００７７】
１０：自動弁装置
１２，１２ｂ：水噴霧ヘッド
１２ａ：予告放水兼用水噴霧ヘッド
１４：水噴霧配管
１５：予告放水配管
１６：予告放水ヘッド
１６ａ：予告旋回放水ヘッド
１６ｂ：予告フラット放水ヘッド
１８：遅延開放弁
３０：自動弁
５０：弁ボディ
５２：隔壁
５４：弁体
５６：リターンバネ
５８：ピストン
６０：シリンダ
６２：制御配管
６４：オリフィス
【図１】
0005586272.tif 000002
【図２】
0005586272.tif 000003
【図３】
0005586272.tif 000004
【図４】
0005586272.tif 000005
【図５】
0005586272.tif 000006
【図６】
0005586272.tif 000007
【図７】
0005586272.tif 000008
【図８】
0005586272.tif 000009
【図９】
0005586272.tif 000010
【図１０】
0005586272.tif 000011